(57)【特許請求の範囲】
【請求項１】
複数の異種無線システムの信号を複数のキャリアを用いて無線端末と送受信する無線基
地局であって、無線ユニットと、ベースバンドユニットを有し、
前記無線ユニットは、前記複数の異種無線システムと複数のキャリアの組み合わせ毎に
アップサンプリングおよびダウンサンプリングの設定情報が予め設定されるとともに該設
定情報に基づいて無線ユニットのアップサンプリング処理部およびダウンサンプリング処
理部を制御するサンプリングコンフィグレーション部を有し、
前記サンプリングコンフィグレーションの制御の結果、前記複数のキャリアを用いた複
数の異種無線システムの信号のサンプリング周波数を共通化し、
サンプリング周波数を共通化した複数のキャリアを用いた複数の異種無線システムの信号を、共通のＡ／Ｄ変換器および共通のＤ／Ａ変換器により、変換処理を行い、
前記ベースバンドユニットに、無線システム毎にベースバンド処理部を有し、
該ベースバンド処理部で無線システム毎に信号対干渉比を測定し、測定結果に基づいて、前記共通のＡ／Ｄ変換器の前段に設けた共通のゲインアンプのゲイン調整値を算出し、該ゲインアンプの自動調整を行う自動ゲイン制御部を有することを特徴とする無線基地局。
【請求項２】
請求項１に記載の無線基地局であって、サンプリング周波数を共通化した複数のキャリ
アを用いた複数の異種無線システムのベースバンド信号を、無線ユニットとベースバンド
ユニット間で共通のインタフェースを用いて送受信することを特徴とする無線基地局。
【請求項３】
請求項１に記載の無線基地局であって、前記アップサンプリングは、アップサンプリン
グ処理、インターポレーション処理、フラクションレートコンバージョン処理のいずれか
一つまたは複数を組み合わせたものであり、ダウンサンプリングは、ダウンサンプリング
処理、デシメーション処理、フラクションレートコンバージョン処理のいずれか一つまた
は複数を組み合わせたものであり、前記サンプリングコンフィグレーション部には、前記
アップサンプリング、ダウンサンプリングの設定値および処理方法の組み合わせ処理の順
序の情報が予めキャリアと無線システムの組み合わせ毎に設定されていることを特徴とす
る無線基地局。
【請求項４】
複数の異種無線システムの信号を複数のキャリアを用いて無線端末と送受信する無線基
地局における信号処理方法であって、
前記複数の異種無線システムと複数のキャリアの組み合わせ毎にアップサンプリングお
よびダウンサンプリングの設定情報が予め設定されるとともに該設定情報に基づいて無線
ユニットのアップサンプリング処理およびダウンサンプリング処理を制御し、
前記制御の結果、前記複数のキャリアを用いた複数の異種無線システムの信号のサンプ
リング周波数を共通化し、
サンプリング周波数を共通化した複数のキャリアを用いた複数の異種無線システムの信号に対し、共通のＡ／Ｄ変換処理および共通のＤ／Ａ変換処理を行い、
無線システム毎のベースバンド処理において各無線システムの信号対干渉比を測定し、測定結果に基づいて、前記共通のＡ／Ｄ変換処理の前に共通のゲイン処理の調整値を算出し、前記ゲイン処理の自動調整を行うことを特徴とする信号処理方法。
【請求項５】
請求項４に記載の信号処理方法であって、前記アップサンプリング処理は、アップサンプリング処理、インターポレーション処理、フラクションレートコンバージョン処理のいずれか一つまたは複数を組み合わせたものであり、ダウンサンプリングは、ダウンサンプリング処理、デシメーション処理、フラクションレートコンバージョン処理のいずれか一つまたは複数を組み合わせたものであり、前記設定情報として、前記アップサンプリング、ダウンサンプリングの設定値および処理方法の組み合わせ処理の順序の情報が予めキャリアと無線システムの組み合わせ毎に設定しておき、該設定情報に基づいてアップサンプリング処理およびダウンサンプリング処理を行うことを特徴とする信号処理方法。
【発明の詳細な説明】
【技術分野】
【０００１】
本発明は、無線通信技術に係り、特に異種無線システムの無線基地局の基盤を共通化する技術に関する。
【背景技術】
【０００２】
近年、ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）といった高速無線通信インフラが整備されてきている。また今後、ＬＴＥの後継規格であるＬＴＥ−ＡＤＶＡＮＣＥＤや、ＷｉＭＡＸの後継規格であるＷｉＭＡＸ２のインフラの整備が計画されている。ＬＴＥに代表される３ＧＰＰ規格とＷｉＭＡＸに代表されるＩＥＥＥ８０２シリーズの規格では、ベースバンドにおけるサンプリング周波数や無線フレーム内の仕様が異なる。そのため、同一のハードウェアを使って複数の異種無線システムをサポートすることは困難であった。
【０００３】
一方で、無線サービスを提供するオペレータとしては、複数の異種無線システムを、同一のハードウェアで処理することができれば、機器への投資コストを大幅に抑えながら、最新の無線方式に対応した端末に対するサービスを提供できるメリットがある。
【０００４】
また、新たな無線方式のサービスを開始する場合、従来のシステムを廃止し、新たなシステムをある日突然にサポートすることは難しい。もちろん技術的には、基地局装置のソフトウェアを書き換えることで、システムを切り替えることができるであろう。また、端末についても、両方のシステムに対応するマルチモード端末であれば、こうしたシステムの切替えにも対応することができるであろう。しかし、従来のシステムを利用していた従来のシステムに対応する端末しか持たないエンドユーザが多数存在するオペレータにとっては、無線基地局のソフトウェアの書き換えによるシステムの切替えは選択肢として選ぶことができない。
【０００５】
これに対し、同一のハードウェアを用いる場合でも、１つのハードウェアで、隣接する異なる周波数帯を使うことにより、複数の異種無線システムを同時にサポートすることができる機器があれば、時間的に緩やかにシステムを変更していくことができる。このような構成とすれば、投資コストを抑えつつ、複数のシステムを変遷していくことができ、リスクを抑える解として魅力的となる。
【先行技術文献】
【非特許文献】
【０００６】
【非特許文献１】WiMAX to LTE Migration White Paper Featuring: Overview of Network Technology Interworking (Jan 2011)
【発明の概要】
【発明が解決しようとする課題】
【０００７】
異種無線システムでは、システムによって、基本パラメータに違いがある。１つの無線基地局で、異なる周波数帯を使って、複数の異種無線システムを同時にサポートするには、それぞれのシステムに対応する複数の回路を並列に並べる必要がある。そのような、それぞれのシステムに対応する複数の回路を並列に並べる構成にすると、装置価格が大幅に上昇する課題があった。
【０００８】
一方、１つの無線基地局内の同一の回路で、複数の異種無線システムに同時に対応するには、以下の課題を解決する必要がある。
（１）無線システム毎に「異なるサンプリング周波数」への対応。
（２）無線システム毎に設定する「受信系のＡ／Ｄ変換器の入力ゲイン」への対応。
（３）無線システム毎に「異なるフレーム送信タイミング」への対応。
【０００９】
ここで、（３）の無線システム毎に異なるフレーム送信タイミングへの対応については、非特許文献１に、複数の無線システムのフレームタイミングを合わせる技術が開示されている。しかし、（１）無線システム毎に「異なるサンプリング周波数」への対応と、（２）無線システム毎に設定する「受信系のＡ／Ｄ変換器の入力ゲイン」への対応については技術が開示されていない。
【００１０】
本発明は以上の点を鑑み、上記課題を解決するためになされたもので、異種無線システムを１つの無線基地局内の同一の回路を用いて同時にサービスを実現する為の共通プラットフォームを提供することを目的とする。
【課題を解決するための手段】
【００１１】
上記課題を解決するために、本発明は、一例として、複数の異種無線システムの信号を複数のキャリアを用いて無線端末と送受信する無線基地局の無線ユニットに、複数の異種無線システムと複数のキャリアの組み合わせ毎にアップサンプリングおよびダウンサンプリングの設定情報が予め設定されるとともに設定情報に基づいて無線ユニットのアップサンプリング処理部およびダウンサンプリング処理部を制御するサンプリングコンフィグレーション部を設け、サンプリングコンフィグレーションの制御により複数のキャリアを用いた複数の異種無線システムの信号のサンプリング周波数を共通化する。
【００１２】
また、サンプリング周波数を共通化した複数のキャリアを用いた複数の異種無線システムの信号を、共通のＡ／Ｄ変換器および共通のＤ／Ａ変換器により、変換処理を行うようにした。さらに、ベースバンド処理部で無線システム毎に信号対干渉比を測定し、測定結果に基づいて、共通のＡ／Ｄ変換器の前段に設けた共通のゲインアンプのゲイン調整値を算出し、ゲインアンプの自動調整を行うようにした。
【発明の効果】
【００１３】
本発明によれば、無線基地局のハードウェアの共通化を図ることで、ハードウェアの低減を図りつつ、２つ以上の異種無線システムを１つの無線基地局で同時に実現することが可能となる。
【図面の簡単な説明】
【００１４】
【図１】従来の異種無線システムをサポートする無線基地局の構成を説明する図である。
【図２】従来の異種無線システムをサポートする無線基地局のベースバンド部の構成を説明する図である。
【図３】異種無線システムまたは同じ無線システムで複数のキャリア（搬送波）を用いて信号を伝送する場合の受信利得調整の一例を説明する図である。
【図４】本発明の一実施例におけるベースバンド部の構成を説明する図である。
【図５】従来の異種無線システムをサポートする無線基地局の無線ユニットの構成を説明する図である。
【図６】本発明の一実施例における無線ユニットの構成を説明する図である。
【図７】サンプリングコンフィグレーションが有する対応表の一例を説明する図である。
【図８】本発明の一実施例における無線基地局の構成を説明する図である。
【図９】ＡＧＣ制御部の処理内容を説明するフローチャートである。
【発明を実施するための形態】
【００１５】
以下、本発明の実施の形態を図面を用いて説明する。
【００１６】
まず、従来の異種無線システムをサポートする無線基地局の構成を説明する。
図１は、従来の無線基地局の構成例を説明する図である。
図１に示す従来の異種無線システムをサポートする無線基地局は、大きく無線ユニット１００−１とベースバンドユニット１００−２から構成されている。バックホールインタフェース部１０１は、無線基地局のバックホールと接続する。バックホールは、センタ側の機器と接続する回線であり、無線基地局から端末へ送信する信号をセンタ側の機器から無線基地局に対して送信する際、および無線基地局が端末から受信した信号をセンタ側の機器に対して送信する場合に使われる。また、無線基地局とセンタ側の機器間で制御信号を送受信するために使われる。
【００１７】
バックホールインタフェース部１０１を経由し、無線基地局に届いたデータ信号（送信情報）は、ベースバンド部１０２に渡される。ベースバンド部１０２では、受信したＩＰベースの信号に対して無線の符号化処理を行い、また、無線での送信・受信のフレームタイミングを生成して、無線の送信タイミングに合わせるようにフレーム化した信号に置き換える信号処理を行い、ベースバンド信号を生成する。ベースバンド部１０２で、ベースバンド信号に変換された送信情報は、ＣＰＲＩ（Ｃｏｍｍｏｎ Ｐｕｂｌｉｃ Ｒａｄｉｏ Ｉｎｔｅｒｆａｃｅ）（またはＯＢＳＡＩ（Ｏｐｅｎ Ｂａｓｅ Ｓｔａｔｉｏｎ Ｓｔａｎｄａｒｄ Ｉｎｉｔｉａｔｉｖｅ））インタフェース１０３及びＣＰＲＩ（またはＯＢＳＡＩ）インタフェース１０４を経由して、各ＲＦ（Ｒａｄｉｏ Ｆｒｅｑｕｅｎｃｙ）シグナルチェーン１０５−１、１０５−２、１０５−Ｎへ伝送される。
【００１８】
ＣＰＲＩ１０３は、ベースバンド部１０２が生成したベースバンド信号を図には示されていないバッファメモリから呼び出し、無線ユニット１００−１内の基板に渡すためにシリアル情報伝送方式であるＣＲＰＩ（またはＯＢＳＡＩ）のフォーマットに変換し、ＣＰＲＩ（またはＯＢＳＡＩ）インタフェース１０４に渡すためのインタフェース部である。また、ＣＰＲＩ（またはＯＢＳＡＩ）インタフェース１０４は、ＣＰＲＩ（またはＯＢＳＡＩ）インタフェース１０３からのシリアル情報伝送された情報を図には示されていないＲＦシグナルチェーン１０５−１、１０５−２及び１０５−Ｎ内のバッファメモリに書き出すためのインタフェース部である。上記メモリに書き出されたベースバンド信号は、各ＲＦシグナルチェーン１０５−１、１０５−２、１０５−Ｎによって、無線周波数帯域にアップコンバートされ、信号増幅された後、各アンテナ１０６−１、１０６−２及び１０６−Ｎから電波として送信される。
【００１９】
次に、従来の異種無線システムをサポートする無線基地局のベースバンド部の構成について説明する。
図２は、従来の異種無線システムをサポートする無線基地局のベースバンド部の構成を説明する図である。
ベースバンド部１０２内には、Ｎ種類の異種無線システムにそれぞれ対応したベースバンド処理部２０１−１、２０１−２及び２０１−Ｎを備える。ベースバンド処理部２０１−１、２０１−２、２０１−Ｎは、変調信号処理が行なってベースバンド信号を生成し、一旦バッファメモリ２０２−１、２０２−２、２０２−Ｎに記憶する。バッファメモリに記憶したベースバンド信号は、タイミング調整後読み出されてＣＰＲＩ（またはＯＢＳＡＩ）インタフェース１０３へ出力される。
【００２０】
次に、異種無線システムまたは同じ無線システムで複数のキャリア（搬送波）を用いて信号を伝送する場合の受信利得の調整について説明する。
図３は、異種無線システムまたは同じ無線システムで複数のキャリア（搬送波）を用いて信号を伝送する場合の受信利得調整の一例を説明する図である。
図３において、横軸は周波数、縦軸は受信信号強度を示している。各キャリアはキャリア６０１やキャリア６０２のように隣接したキャリアに限らず、キャリア６０３のように周波数上で隣接していなくてもよく、また周波数バンドが離れていてもよい。図３においてキャリア６０１、６０２、６０３はそれぞれ異なる受信レベルを示しているが、所要ＳＮＲ（ｓｉｇｎａｌ−ｔｏ−ｎｏｉｓｅ ｒａｔｉｏ）及び/またはＣＩＮＲ（Ｃａｒｒｉｅｒ ｔｏ Ｉｎｔｅｒｆｅｒｅｎｃｅ−ｐｌｕｓ−Ｎｏｉｓｅ Ｒａｔｉｏ）は無線システム、変調方式、符号化率によって異なるため、受信利得調整は一律ではなく、各々調整が必要となる。
【００２１】
次に、本発明の一実施例におけるベースバンド部の構成を説明する。
図４は、本発明の一実施例におけるベースバンド部の構成を説明する図である。
図２で説明した従来のベースバンド部と大きく異なる点は、各無線システムの所要ＳＮＲおよび／またはＣＩＮＲに利得調整可能な自動利得調整（ＡＧＣ：Ａｕｔｏｍａｔｉｃ Ｇａｉｎ Ｃｏｎｔｒｏｌ）制御部２２０が追加されたことである。ＣＰＲＩ（またはＯＢＳＡＩ）インタフェース１１３を経由して受信したベースバンド信号は、一旦バッファメモリ２１２−１、２１２−２、２１２−Ｎに記憶される。バッファメモリに記憶されたベースバンド信号は、タイミング調整後、各無線システムに対応したベースバンド部２１１−１、２１１−２、２１１−Ｎに読み出される。ベースバンド部２１１−１、２１１−２、２１１−Ｎでは、ベースバンド信号から復号処理されたＩＱ信号レベルをＡＧＣ制御部２２０へ報告する。ＡＧＣ制御部２２０では、各ＩＱ信号レベルに応じて、図には示されていない無線ユニット内の各ＲＦシグナルチェーンにあるＡＧＣ用ゲインアンプにてゲイン調整を行う。
【００２２】
次に、従来の異種無線システムをサポートする無線基地局の無線ユニットの構成について説明する。
図５は、従来の異種無線システムをサポートする無線基地局の無線ユニットの構成を説明する図である。
図５には、従来のＲＦシグナルチェーン（１Ｐａｔｈ）の構成例を示している。
【００２３】
まずダウンリンクについて説明する。ＣＰＲＩ（またはＯＢＳＡＩ）インタフェース１０４を経由してきたベースバンド信号は、各無線システムのバッファメモリ３０１−１、３０１−２、３０１−Ｎに一旦記憶される。バッファメモリに記憶されたベースバンド信号は、タイミング調整が行われた後、各アップサンプリング処理部３０２−１、３０２−２、３０２−Ｎへ出力される。
【００２４】
各アップサンプリング処理部３０２−１、３０２−２、３０２−Ｎでは、各無線システムの数段階のアップサンプリング（インターポレーションを含む）処理を経て、所要のサンプリング周波数へ変換される。その後、デジタルフィルタ３０３−１、３０３−２、３０３−Ｎでフィルタリング処理を行い、各Ｄ／Ａ変換器３０４−１、３０４−２、３０４−Ｎへ出力する。このときサンプリング周波数は、各無線システムのベースバンド信号のサンプリング周波数の定数倍となる。各Ｄ／Ａ変換器３０４−１、３０４−２、３０４−Ｎでアナログ信号に変換した信号は、ＲＦアナログ部３０５を経て、アンテナ１０６から送信される。
【００２５】
次にアップリンクについて説明する。
アンテナ１０６から受信した信号をＲＦアナログ部３０５を経て、各無線システム向けＡＧＣ用のゲインアンプ３０６−１、３０６−２、３０６−Ｎへ入力される。各無線システム向けＡＧＣ用のゲインアンプは各無線システム個別のゲイン調整を行う。各無線システム固有のゲイン調整を行った信号は、Ａ／Ｄ変換器３０７−１、３０７−２、３０７−Ｎへ入力される。このときサンプリング周波数は、各無線システムのベースバンド信号のサンプリング周波数の定数倍となる。その後、デジタルフィルタ３０８−１、３０８−２、３０８−Ｎにてフィルタリングしたのち、ダウンサンプリング処理部３０９−１、３０９−２、３０９−Ｎにてダウンサンプリング（またはデシメーション）処理を行う。ダウンサンプリングされ、ベースバンド信号となった信号はバッファメモリ３１０−１、３１０−２、３１０−Ｎに一旦蓄積される。バッファメモリに一旦蓄積されたベースバンド信号は、タイミング調整された後、ＣＰＲＩ（またはＯＢＳＡＩ）インタフェース１０４を経由し、ベースバンド部１０２へ伝送される。
【００２６】
次に、本発明の一実施例における無線ユニットの構成を説明する。
図６は、本発明の一実施例における無線ユニットの構成を説明する図である。
図６には、ＲＦシグナルチェーン（１Ｐａｔｈ）の構成例を示す。
【００２７】
図５で説明した従来の異種無線システムをサポートする無線基地局の無線ユニットの構成と異なる点は主に次の２点である。一つめは、アップサンプリング処理部３２２−１、３２２−２、３２２−Ｎおよびダウンサンプリング３２９−１、３２９−２、３２９−Ｎ処理部と接続しているサンプリングコンフィグレーション３６０が追加されたことである。２つめは、Ｄ／Ａ変換器、Ａ／Ｄ変換器及びＡＧＣ用ゲインアンプを各無線システムで共通のＤ／Ａ変換器３２４、Ａ／Ｄ変換器３２７及びＡＧＣ用ゲインアンプ３２６となったことである。
【００２８】
サンプリングコンフィグレーション３６０は、従来の構成では、各無線システムで別々の制御の元処理を行っていたアップ／ダウンサンプリングについて、各無線システムおよびキャリアの組み合わせ毎に、予め最適なサンプリング処理の設定値および処理の組み合わせ、処理の順番を蓄積しておく機能と、各無線システムに対応したアップ／ダウンサンプリング部に対する設定や変更、制御を行う機能を有する構成である。本実施例においては、サンプリングコンフィグレーション３６０に、各無線システムのアップサンプリング処理部３２２における処理の結果、サンプリング周波数が共通となるように、予め最適なサンプリング処理の設定値および処理の組み合わせ、処理の順番を蓄積しておき、各アップサンプリング処理部、ダウンサンプリング処理部を制御する。その結果として、Ｄ／Ａ変換器３２４、Ａ／Ｄ変換器３２７及びＡＧＣ用ゲインアンプ３２６を共通化することが可能となる。
【００２９】
次に、サンプリングコンフィグレーションが有する情報について説明する。
図７は、サンプリングコンフィグレーションが有する対応表の一例を説明する図である。
図７は、説明を簡単にするために、２キャリア（キャリアＡとキャリアＢ）で、無線システムはＮ種類の場合の例を示している。
【００３０】
図７で、例えば、キャリアＡ：Ｓｙｓｔｅｍ１、キャリアＢ：Ｓｙｓｔｅｍ２の場合、サンプリングコンフィグレーションはＰａｔｔｅｒｎ２となる。ここで、Ｐａｔｔｅｒｎとしては、アップサンプリング処理部に対しては、アップサンプリング（またはインタポレーション）の各設定値およびＦＲＣ（Ｆｒａｃｔｉｏｎ Ｒａｔｅ  Ｃｏｎｖｅｒｓｉｏｎ）の設定値、および、アップサンプリング、インターポレーション、ＦＲＣの処理の組み合わせ、処理の順番などの情報を設定しておく。Ｐａｔｔｅｒｎ情報には、キャリアおよび無線システムの組み合わせによって、予め最適な値を求め設定しておく。
【００３１】
またダウンリンク処理部に対しては、ダウンサンプリング（またはデシメーション）の各設定値およびＦＲＣ（Ｆｒａｃｔｉｏｎ Ｒａｔｅ  Ｃｏｎｖｅｒｓｉｏｎ）の設定値、およびダウンサンプリング、デシメーション、ＦＲＣの処理の組み合わせ、処理の順番などの情報を設定しておく。なお、コンバイナ３４０は、各デジタルフィルタ３２３−１、３２３−２、３２３−Ｎから出力されるアップサンプリングされたベースバンド信号を合成し、Ｄ／Ａ変換器３１０へ出力するものである。ディバイダ３５０は、Ａ／Ｄ変換器から出力される受信デジタル信号を分岐し、各デジタルフィルタ３２８−１、３２８−２、３２８−Ｎへ出力するものである。
【００３２】
次に、本発明の一実施例における無線基地局の構成を説明する。
図８は、本発明の一実施例における無線基地局の構成を説明する図である。
図８には、無線基地局（１Ｐａｔｈ）の構成例を示す。
ここでは、図６に記載のＡＧＣ用ゲインアンプ３２６の動作について述べる。ＡＧＣ制御部２２０について、図４で説明を行った以降の動作を述べる。ＡＧＣ制御部２２０でＡ／Ｄ変換器３２７前段にあるＡＧＣ用ゲインアンプ３２６のゲイン調整値を決定後、ＣＰＲI（またはＯＢＳＡＩ）インタフェース１１３及び１１４を経由し、ＡＧＣ用ゲインアンプ３２６に対してゲイン設定を行う。
【００３３】
次に、ＡＧＣ制御部における処理の内容を説明する。
図９は、ＡＧＣ制御部の処理内容を説明するフローチャートである。
各ベースバンド２１１−１、２１１−２、２１１−ＮにてＣＩＮＲ（信号対干渉波比）を測定する（ステップ９００）。ＡＧＣ制御部２２０で、各ベースバンドのＣＩＮＲの測定結果を集計する（ステップ９０１）。次にステップ９０１の結果、ＣＩＮＲが各無線システムの設定値範囲であるかを確認する（ステップ９０２）。範囲以内であれば、ＡＧＣを動作させずに完了する。範囲外であれば、ＡＧＣ用ゲインブロック３２６の出力レベル（ゲイン）を調整する（ステップ９０３）。この結果、基地局１１０にて運用中の各無線システムの所要ＣＩＮＲを満足するかを確認する（ステップ９０４）。全て満足していれば、ＡＧＣ動作完了となる。いずれかが満足出来ていない場合は、ステップ９０３へ戻る。なお、このＡＧＣ動作は、周期的に動作あるいはＣＩＮＲに対して追従動作とする。
【符号の説明】
【００３４】
１００  無線基地局
１０１，１１１  バックホールインタフェース部
１０２，１１２  ベースバンドユニット
１０３，１１３  ベースバンド側ＣＰＲＩインタフェース部
１０４，１１４  ＲＦ側ＣＰＲＩインタフェース部
１０５  ＲＦシグナルチェーン
１０６，１１６  アンテナ
２０１，２１１  無線システムのベースバンド部
２０２，２１２，３０１，３１０，３２１，３３０  バッファメモリ
２２０  ＡＧＣ制御部
３０２，３２２  アップサンプリング部
３０３，３２３  無線部送信側デジタルフィルタ
３０４３２４  デジタル／アナログ変換器
３０５，３２５  無線アナログ部
３０６，３２６  ＡＧＣ用ゲインブロック
３０７，３２７  アナログ／デジタル変換器
３０８，３２８  無線部受信側デジタルフィルタ
３０９，３２９  ダウンサンプリング部
３４０  コンバイナ
３５０  ディバイダ
３６０  サンプリングコンフィグレーション
【図１】
0005686720.tif 000002
【図２】
0005686720.tif 000003
【図３】
0005686720.tif 000004
【図４】
0005686720.tif 000005
【図５】
0005686720.tif 000006
【図６】
0005686720.tif 000007
【図７】
0005686720.tif 000008
【図８】
0005686720.tif 000009
【図９】
0005686720.tif 000010